(57)【要約】【課題】ロール状紙製物品の芳香性の低下を適正に抑制するとともに、香料の選択肢に制約が生じることを抑制する。【解決手段】衛生紙２がロール状に巻回される紙管１であって、当該管本体１１の内面のうち、少なくとも一方の開口１１ａに対応する開口内縁部１１ｂに、当該開口の少なくとも一部の領域を閉塞するように接着された第１芳香用フィルム３を備え、第１芳香用フィルムは、外層部３１と内層部３２とが香料が付加された接着剤を含んでなる中層部３３を介して接着され、外層部及び内層部は、気密性が相対的に高い材料を用いて形成され、第１芳香用フィルムが破断されることで、中層部から芳香するように構成されてなる。【選択図】図２
2015066119.tif 000002
【特許請求の範囲】
【請求項１】
衛生紙がロール状に巻回されるロール状紙製物品用管であって、
当該管本体の内面のうち、少なくとも一方の開口に対応する開口内縁部に、当該開口の少なくとも一部の領域を閉塞するように接着された芳香用フィルムを備え、
前記芳香用フィルムは、
前記開口に対して外側に露出されるように配置された外層部と、前記開口に対して内側に配置された内層部とが、香料が付加された接着剤を含んでなる接着層部を介して接着され、
前記外層部及び前記内層部は、気密性が相対的に高い材料を用いて形成され、
前記芳香用フィルムが破断されることで、前記接着層部から芳香するように構成されてなることを特徴とするロール状紙製物品用管。
【請求項２】
衛生紙がロール状に巻回されるロール状紙製物品用管であって、
当該管本体の内面のうち、両方の開口に対応する開口内縁部の各々に、当該開口全体を閉塞するように接着された芳香用フィルムを備え、
前記芳香用フィルムの各々は、
前記開口に対して外側に露出されるように配置された外層部と、前記開口に対して内側に配置された内層部とが、香料が付加された接着剤を含んでなる接着層部を介して接着され、
前記外層部は、気密性が相対的に高い材料を用いて形成され、
前記芳香用フィルムが破断されることで、前記接着層部から芳香するように構成されてなることを特徴とするロール状紙製物品用管。
【請求項３】
前記内層部は、更に、
気密性が相対的に低い材料を用いて形成されてなることを特徴とする請求項２に記載のロール状紙製物品用管。
【請求項４】
前記芳香用フィルムには、ミシン目が形成されていることを特徴とする請求項１〜３の何れか一項に記載のロール状紙製物品用管。
【請求項５】
請求項１〜４の何れか一項に記載のロール状紙製物品用管を芯としてロール状に衛生紙が巻回されてなることを特徴とするロール状紙製物品。
【発明の詳細な説明】
【技術分野】
【０００１】
本発明は、例えば、ロール状トイレットペーパーなどのロール状紙製物品に用いられるロール状紙製物品用管及びロール状紙製物品に関する。
【背景技術】
【０００２】
従来、ロール状トイレットペーパーを構成する紙管やロール紙に香料を付与して香り付きとしたものが提案されている。
例えば、ロール状紙製物品の紙管の内面に芳香剤を含有する液体を噴射して塗布したもの（例えば、特許文献１参照）や、紙管を構成する外側中空円筒や内側中空円筒に所定形状の孔を形成し、且つ、外側中空円筒と内側中空円筒との間に香料を介在させたもの（例えば、特許文献２参照）等が知られている。
【先行技術文献】
【特許文献】
【０００３】
【特許文献１】特許第４４３０３６２号公報
【特許文献２】特許第４１５９０６１号公報
【発明の概要】
【発明が解決しようとする課題】
【０００４】
ところで、ロール状トイレットペーパーの包装に用いられる包装材としては、例えば、ポリエチレンフィルムやポリプロピレンフィルムが主に使用されているが、これらの包装材は気密性に優れていない。このため、揮発性の高い香料を用いると、製品化されたロール状トイレットペーパーの保管時（出荷前後を問わない）や店頭での陳列時等に包装袋の外側に芳香が漏出する。結果として、ロール状トイレットペーパーを実際に使用する際には、製品化の時点よりも芳香性が低下しているといった問題が生じる。なお、この問題を解消する上では、例えば、残香性の高い香料を用いる必要があり、使用する香料の種類に制約を生じさせてしまう。
【０００５】
また、包装材として、気密性の優れたフィルム（例えば、エチレン−ビニルアルコール共重合体樹脂製のフィルム等）を用いたものもあるが、包装袋の開封前の状態ではトイレットペーパーの芳香性の低下を抑制することができるものの、一旦開封してしまうと、開封口を介して芳香が拡散してしまう。このため、開封後直ちに使用しないロール状トイレットペーパーは包装袋の内側に保管した上で、開封口を閉じた状態としなければならず、作業が煩雑であるだけでなく、収納スペースが限られているトイレ等の狭い空間では収納上の問題も生じてしまう。
【０００６】
本発明は、このような問題に鑑みてなされたものであり、本発明の課題は、ロール状紙製物品の芳香性の低下を適正に抑制することができるロール状紙製物品用管及びロール状紙製物品を提供することである。
【課題を解決するための手段】
【０００７】
上記課題を解決するため、請求項１に記載の発明は、
衛生紙がロール状に巻回されるロール状紙製物品用管であって、
当該管本体の内面のうち、少なくとも一方の開口に対応する開口内縁部に、当該開口の少なくとも一部の領域を閉塞するように接着された芳香用フィルムを備え、
前記芳香用フィルムは、
前記開口に対して外側に露出されるように配置された外層部と、前記開口に対して内側に配置された内層部とが、香料が付加された接着剤を含んでなる接着層部を介して接着され、
前記外層部及び前記内層部は、気密性が相対的に高い材料を用いて形成され、
前記芳香用フィルムが破断されることで、前記接着層部から芳香するように構成されてなることを特徴としている。
【０００８】
請求項２に記載の発明は、
衛生紙がロール状に巻回されるロール状紙製物品用管であって、
当該管本体の内面のうち、両方の開口に対応する開口内縁部の各々に、当該開口全体を閉塞するように接着された芳香用フィルムを備え、
前記芳香用フィルムの各々は、
前記開口に対して外側に露出されるように配置された外層部と、前記開口に対して内側に配置された内層部とが、香料が付加された接着剤を含んでなる接着層部を介して接着され、
前記外層部は、気密性が相対的に高い材料を用いて形成され、
前記芳香用フィルムが破断されることで、前記接着層部から芳香するように構成されてなることを特徴としている。
【０００９】
請求項３に記載の発明は、請求項２に記載のロール状紙製物品用管において、
前記内層部は、更に、
気密性が相対的に低い材料を用いて形成されてなることを特徴としている。
【００１０】
請求項４に記載の発明は、請求項１〜３の何れか一項に記載のロール状紙製物品用管において、
前記芳香用フィルムには、ミシン目が形成されていることを特徴としている。
【００１１】
請求項５に記載の発明のロール状紙製物品は、
請求項１〜４の何れか一項に記載のロール状紙製物品用管を芯としてロール状に衛生紙が巻回されてなることを特徴としている。
【発明の効果】
【００１２】
本発明によれば、未使用状態では、香料が付加された接着剤を含んでなる接着層部が外気に触れ難いために芳香が拡散し難くなって、ロール状紙製物品の芳香性の低下を適正に抑制することができる。さらに、揮発性の高い香料や残香性の低い香料等も使用することでき、香料の選択肢に制約が生じることを抑制することができる。
【図面の簡単な説明】
【００１３】
【図１】本発明を適用した実施形態１のロール状トイレットペーパーを示す斜視図である。
【図２】図１のII−II線におけるロール状トイレットペーパーの断面図である。
【図３】図１のロール状トイレットペーパーの製造方法を説明するフローチャートである。
【図４】図１のロール状トイレットペーパーの製造方法を説明する模式図である。
【図５】本発明を適用した実施形態２のロール状トイレットペーパーを示す斜視図である。
【図６】図５のVI−VI線におけるロール状トイレットペーパーの断面図である。
【発明を実施するための形態】
【００１４】
以下に、本発明について、図面を用いて具体的な態様を説明する。ただし、発明の範囲は、図示例に限定されない。
【００１５】
［実施形態１］
図１は、本発明を適用した実施形態１のロール状トイレットペーパー１００を示す斜視図である。また、図２（ａ）は、図１のII−II線におけるロール状トイレットペーパー１００の断面図であり、図２（ｂ）は、図２（ａ）の一点鎖線で囲まれた領域を拡大して示す図である。
【００１６】
図１等に示すように、実施形態１のロール状トイレットペーパー１００は、紙管（ロール状紙製物品用管）１を芯としてロール状に衛生紙（ロール紙）２が巻回されてなるロール状紙製物品である。
なお、以下の説明では、ロール状トイレットペーパー１００の紙管１の軸方向を左右方向とし、左右方向に直交する一方向を上下方向とし、左右方向及び上下方向の双方に直交する方向を前後方向とする。
【００１７】
紙管１は、例えば、図２（ａ）に示すように、左右方向に長尺な略円筒状に形成されている。即ち、紙管１の管本体１１の左右方向両端部に、略円形状の開口１１ａがそれぞれ形成されている。
【００１８】
また、管本体１１の内周面のうち、一方の開口（例えば、右側の開口）１１ａに対応する開口内縁部１１ｂに第１芳香用フィルム３が貼設されている。即ち、第１芳香用フィルム３は、一方の開口１１ａ全体を閉塞するように当該開口１１ａ近傍の開口内縁部１１ｂに所定の接着剤Ｂにより接着されている。具体的には、管本体１１の一方の開口内縁部１１ｂには、所定の接着剤Ｂが内周方向に延在するように帯状に塗布され、当該所定の接着剤Ｂを介して第１芳香用フィルム３が接着されている。
なお、所定の接着剤Ｂは、第１芳香用フィルム３の内層部３２（後述）と管本体１１の開口内縁部１１ｂとを接着可能な材料を用いたものであれば成分は限定されない。
【００１９】
第１芳香用フィルム３は、例えば、図２（ａ）に示すように、一方の開口１１ａに対して外側（図中、右側）に露出されるように配置された外層部３１と、一方の開口１１ａに対して内側（図中、左側）に配置された内層部３２とが中層部３３を介して接着された多層構造をなしている。
【００２０】
外層部３１及び内層部３２は、気密性が相対的に高い材料を用いて形成されている。具体的には、外層部３１及び内層部３２は、例えば、ポリエチレンテレフタレート（ＰＥＴ）樹脂やエチレン−ビニルアルコール共重合体（ＥＶＯＨ）樹脂、ナイロン樹脂等を用いて形成された所定の厚さのフィルムから構成されている。
【００２１】
中層部３３は、所定の香料が付加された接着剤を含んでなり、外層部３１と内層部３２とを接着する接着層部を構成している。
【００２２】
ここで、接着剤の種類は、外層部３１と内層部３２とを剥離不可に接着するものであれば、特に限定されるものではなく、例えば、天然ゴム系粘着剤、天然ゴムラッテクス系粘着剤、アクリル系粘着剤、ホットメルト粘着剤等を適用可能である。
特に、アクリル系粘着剤は、樹脂製フィルムの接着性、香料の溶解性や分散性に優れているので好ましい。なお、フィルムとの親和性に優れているポリエステル系接着剤を用いても良い。
【００２３】
また、香料としては、例えば、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモスまたはモスドシェーヌ、乳香、ビャクシ香、オリス、バチュリ、ローズマリー油、白檀油、ベチバー油、レモン油、グレープフルーツ油、ローズマリー油、ペパーミント油、マンダリン油、ライム油、ユズ油、カモミール油、ラベンダー油、ローズ油、スペアミント油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどが挙げられる。これらは単独で用いても良いし、複数を組み合わせて調合香料として用いても良い。
また、使用する香料は、所望の香調によって決定すれば良い。さらに、香料の添加量（接着剤に対する香料の添加量の比率）は、使用する香料や接着剤の種類、香料の揮発性や残香性、コスト等に応じて適宜任意に変更可能である。
なお、香料は、香気の強さや揮散性の調整のために、適宜ジプロピレングリコール、パラフィンオイル等の鉱物油、ヒマシ油、大豆油の植物油を用いて希釈しても良い。
【００２４】
また、中層部３３の厚さは、外層部３１と内層部３２との接着性、第１芳香用フィルム３の柔軟性、接着剤や香料の使用量に応じたコスト等を考慮して適宜任意に変更することができる。
【００２５】
また、第１芳香用フィルム３には、所定形状のミシン目３４が表裏を貫通するように形成されている（図１参照）。
【００２６】
また、第１芳香用フィルム３は、管本体１１の内周面の一方の開口内縁部１１ｂに接着された状態で、内層部３２が開口内縁部１１ｂに対向して配置されている。即ち、接着装置３００（後述）を用いて管本体１１の内側に第１芳香用フィルム３を押し込むようにして開口内縁部１１ｂに接着する場合（図４（ｅ）等参照）、当該第１芳香用フィルム３の端部側が内層部３２を開口内縁部１１ｂと対向させるように折曲された状態となる。この状態で所定の接着剤Ｂを用いて接着されることで、内層部３２と管本体１１の開口内縁部１１ｂとが所定の接着剤Ｂを介して対向して配置された状態となる。
【００２７】
上記構成の第１芳香用フィルム３は、外層部３１及び内層部３２により中層部３３が挟まれた状態となっており、未使用状態では、中層部３３が外気に触れ難いために芳香が拡散し難くなっている。
そして、当該ロール状トイレットペーパー１００がトイレットペーパーホルダー（図示略）に取り付けられる際に、第１芳香用フィルム３が破断されると、中層部３３が外気に触れ易くなって芳香するように構成されている。
【００２８】
なお、紙管１に巻回される衛生紙２は、トイレットペーパーに用いられる一般的な構成をなし、その詳細な説明は省略する。
【００２９】
＜ロール状トイレットペーパーの製造方法＞
次に、ロール状トイレットペーパー１００の製造方法について、図３及び図４を参照して説明する。
図３は、ロール状トイレットペーパー１００の製造方法を説明するフローチャートであり、図４（ａ）〜図４（ｆ）は、ロール状トイレットペーパー１００の製造方法を説明する模式図である。
【００３０】
図３に示すように、先ず、例えば、繰り出された原紙をマンドレルシャフトを用いて長尺な紙管１Ａを形成する（ステップＳ１；図４（ａ）参照）。
なお、紙管１Ａの製造方法は一例であってこれに限られるものではなく、適宜任意に変更可能である。
【００３１】
次に、長尺な紙管１Ａを芯として衛生紙（ロール紙）２を巻き取って、長尺なロール紙（ログ）１００Ａを形成する（ステップＳ２；図４（ｂ）参照）。
その後、例えば、ログソーを用いて長尺なロール紙（ログ１００Ａ）を製品寸法に応じた所定の幅を有する複数のロール状トイレットペーパー１００に切断する（ステップＳ３；図４（ｃ）参照）。なお、図４（ｃ）には、一のロール状トイレットペーパー１００のみを図示している。
【００３２】
切断後のロール状トイレットペーパー１００の搬送工程にて、当該ロール状トイレットペーパー１００の搬送を一旦停止させた後、紙管１の管本体１１の一方の開口内縁部１１ｂに、所定の接着剤Ｂを塗布し（ステップＳ４；図４（ｄ）参照）、その後、接着装置３００を用いて紙管１の開口内縁部１１ｂに第１芳香用フィルム３を接着する（ステップＳ５；図４（ｅ）参照）。
具体的には、先ず、ロール状トイレットペーパー１００と接着装置３００との間に、ロール状トイレットペーパー１００側に内層部３２を構成する一面が位置するように第１芳香用フィルム材３Ａを配置する。なお、第１芳香用フィルム材３Ａは、表裏両面の構成、即ち、外層部３１及び内層部３２の各々を構成する一面は略同様の構成をなしているので、ロール状トイレットペーパー１００側に外層部３１を構成する一面が位置するような配置であっても良い。
次に、先端部が略円柱形状の接着装置３００を所定方向に移動させて管本体１１の一方の開口１１ａを介して当該管本体１１の内側に第１芳香用フィルム材３Ａを押し込むことで、管本体１１の内側に押し込まれた第１芳香用フィルム材３Ａは、内層部３２と一方の開口内縁部１１ｂとを所定の接着剤Ｂを介して対向させるように折曲した状態となる。これにより、内層部３２と管本体１１の開口内縁部１１ｂとが所定の接着剤Ｂにより圧着される。その後、接着装置３００を所定方向と反対方向に移動させて管本体１１の内側から引き抜くとともに、第１芳香用フィルム材３Ａの余剰部分を切り取る。
なお、管本体１１の内側に第１芳香用フィルム材３Ａを介して接着装置３００を押し込む際には、この接着装置３００の先端部側に第１芳香用フィルム材３Ａを引き寄せるように当該第１芳香用フィルム材３Ａを吸引しても良い。
【００３３】
その後、第１芳香用フィルム３に所定形状のミシン目３４を形成した後（ステップＳ６；図４（ｆ）参照）、当該ロール状トイレットペーパー１００を所定数（例えば、１２個等）ずつ包装袋（図示略）に包装する（ステップＳ７）。
【００３４】
以上のように、実施形態１のロール状トイレットペーパー１００によれば、紙管１の管本体１１の内周面のうち、一方の開口内縁部１１ｂに、当該開口１１ａを閉塞するように接着された第１芳香用フィルム３は、外層部３１と内層部３２とが香料が付加された中層部３３を介して接着され、外層部３１及び内層部３２は、気密性が相対的に高い材料を用いて形成されているので、当該ロール状トイレットペーパー１００の未使用状態では、香料が付加された中層部３３が外気に触れ難いために芳香が拡散し難くなる一方、当該ロール状トイレットペーパー１００の使用の際に第１芳香用フィルム３が破断されることで、中層部３３に含まれる香料が外気に触れ易くなって芳香することとなるため、ロール状トイレットペーパー１００の芳香性の低下を適正に抑制することができる。つまり、包装袋からロール状トイレットペーパー１００を取り出して個別に保管する場合等にも、芳香が拡散し難くなり、例えば、収納スペースが限られているトイレ等の狭い空間でもロール状トイレットペーパー１００の保管をより容易に行うことができる。
さらに、揮発性の高い香料や残香性の低い香料等も使用することできることとなって、香料の選択肢に制約が生じることを抑制することができる。
【００３５】
また、第１芳香用フィルム３には、ミシン目３４が形成されているので、このミシン目３４を利用して当該第１芳香用フィルム３の破断をより容易に行うことができる。特に、例えば、トイレットペーパーホルダーに取り付けるだけで、ミシン目３４から裂けるように第１芳香用フィルム３を破断させることができ、これにより、中層部３３に含まれる香料が外気に触れ易くなって芳香することとなる。
【００３６】
なお、上記実施形態１にあっては、第１芳香用フィルム３が紙管１の管本体１１の一方の開口１１ａ全体を閉塞する構成のものを例示したが、一例であってこれに限られるものではない。即ち、第１芳香用フィルム３は、管本体１１に対して一方の開口１１ａの少なくとも一部の領域を閉塞するように貼設されたものであれば、開口１１ａの閉塞領域は適宜任意に変更可能である。
また、第１芳香用フィルム３が管本体１１の一方の開口内縁部１１ｂに接着された構成のものを例示したが、一例であってこれに限られるものではなく、例えば、当該管本体１１の両方の開口内縁部１１ｂ、１１ｂにそれぞれ接着された構成であっても良い。
【００３７】
［実施形態２］
図５は、本発明を適用した実施形態２のロール状トイレットペーパー２００を示す斜視図である。また、図６（ａ）は、図５のVI−VI線におけるロール状トイレットペーパー２００の断面図であり、図６（ｂ）は、図６（ａ）の一点鎖線で囲まれた領域を拡大して示す図である。
なお、実施形態２のロール状トイレットペーパー２００は、以下に詳細に説明する以外の点で、実施形態１のロール状トイレットペーパー１００と略同様の構成をなし、その詳細な説明は省略する。
【００３８】
図５等に示すように、実施形態２のロール状トイレットペーパー２００は、紙管１の管本体１１の内周面の左右両方の開口１１ａ、１１ａに対応する両方の開口内縁部１１ｂ、１１ｂに第２芳香用フィルム２０３がそれぞれ接着されている。
【００３９】
具体的には、二つの第２芳香用フィルム２０３、２０３は、管本体１１の対応する開口１１ａ全体を閉塞するように各開口内縁部１１ｂに所定の接着剤Ｂによりそれぞれ接着されている。即ち、管本体１１の左右両方の開口内縁部１１ｂ、１１ｂには、所定の接着剤Ｂが内周方向に延在するように帯状にそれぞれ塗布され、当該所定の接着剤Ｂを介して第２芳香用フィルム２０３が各開口内縁部１１ｂにそれぞれ接着されている。
また、各第２芳香用フィルム２０３は、例えば、図６（ａ）に示すように、外層部３１と内層部２３２とが中層部３３を介して接着された多層構造をなしている。
【００４０】
外層部３１は、上記実施形態１と同様に、気密性が相対的に高い材料を用いて形成されている。
内層部２３２は、気密性が相対的に低い材料を用いて形成されている。また、内層部２３２は、例えば、無軸延伸ポリプロピレン（ＣＰＰ）等の気密性が相対的に高い所定の厚さのフィルムから構成されている。
中層部３３は、上記実施形態１と同様に、所定の香料が付加された接着剤を含んで構成されている。
【００４１】
上記構成の第２芳香用フィルム２０３の各々は、紙管１の管本体１１の各開口１１ａ全体を閉塞するように開口内縁部１１ｂにそれぞれ接着されている。これにより、二つの第２芳香用フィルム２０３、２０３の外層部３１により管本体１１の内側の空間が挟まれた状態となっており、未使用状態では、管本体１１の内側の空間に芳香が充満した状態となっているとともに、中層部３３が外気に触れ難いために芳香が拡散し難くなっている。
そして、当該ロール状トイレットペーパー２００がトイレットペーパーホルダーに取り付けられる際に、各第２芳香用フィルム２０３が破断されると、管本体１１の内側の空間に充満していた芳香が拡散するとともに、中層部３３が外気に触れ易くなって芳香するように構成されている。
【００４２】
なお、実施形態２のロール状トイレットペーパー２００の製造方法は、紙管１の管本体１１の両方の開口内縁部１１ｂ、１１ｂの各々に第２芳香用フィルム２０３を接着する以外の点で、上記実施形態１のロール状トイレットペーパー１００の製造方法と略同様であり、その詳細な説明は省略する。
【００４３】
以上のように、実施形態２のロール状トイレットペーパー２００によれば、紙管１の管本体１１の内周面のうち、両方の開口内縁部１１ｂ、１１ｂの各々に、当該開口１１ａ全体を閉塞するようにそれぞれ貼設された第２芳香用フィルム２０３は、外層部３１と内層部２３２とが香料が付加された中層部３３を介して接着され、外層部３１は、気密性が相対的に高い材料を用いて形成されているので、上記実施形態１と略同様に、当該ロール状トイレットペーパー２００の未使用状態では、香料が付加された中層部３３が外気に触れ難いために芳香が拡散し難くなる一方、当該ロール状トイレットペーパー２００の使用の際に各第２芳香用フィルム２０３が破断されることで、中層部３３に含まれる香料が外気に触れ易くなって芳香することとなるため、ロール状トイレットペーパー２００の芳香性の低下を適正に抑制することができる。つまり、包装袋からロール状トイレットペーパー２００を取り出して個別に保管する場合等にも、芳香が拡散し難くなり、例えば、収納スペースが限られているトイレ等の狭い空間でもロール状トイレットペーパー２００の保管をより容易に行うことができる。
さらに、揮発性の高い香料や残香性の低い香料等も使用することできることとなって、香料の選択肢に制約が生じることを抑制することができる。
また、内層部２３２が、気密性が相対的に低い材料を用いて形成されていることで、当該ロール状トイレットペーパー２００の未使用状態では、管本体１１の内側の空間に芳香が充満した状態となり、当該ロール状トイレットペーパー２００の使用の際に各第２芳香用フィルム２０３が破断されることで、管本体１１の内側の空間に充満していた芳香が拡散することとなる。
【００４４】
なお、本発明は、上記実施形態に限定されることなく、本発明の趣旨を逸脱しない範囲において、種々の改良並びに設計の変更を行っても良い。
例えば、上記実施形態１、２にあっては、第１及び第２芳香用フィルム３、２０３にミシン目３４が形成されたものを例示したが、必ずしもミシン目３４が形成されている必要はない。即ち、ミシン目３４が形成されていない第１及び第２芳香用フィルム３、２０３の場合、当該第１及び第２芳香用フィルム３、２０３が破断し難くなってトイレットペーパーホルダーへ取付け難くなるものの、ロール状トイレットペーパー１００の芳香性の低下をより適正に抑制することができる。
【００４５】
また、上記実施形態１、２にあっては、ロール状紙製物品用管として、紙製の紙管１を例示したが、一例であってこれに限られるものではなく、ロール状紙製物品用管の素材は適宜任意に変更可能である。
【００４６】
さらに、上記実施形態１、２にあっては、ロール状紙製物品として、ロール状トイレットペーパー１００、２００を例示して説明したが、一例であってこれに限られるものではなく、衛生紙２がロール状に巻回されたものであれば適宜任意に変更可能である。例えば、ペーパータオルやティシューペーパー等が紙管１にロール状に巻回されたものであっても良い。
【符号の説明】
【００４７】
１００、２００  ロール状トイレットペーパー（ロール状紙製物品）
１      紙管（ロール状紙製物品用管）
１１    管本体
１１ａ  開口
１１ｂ  開口内縁部
２      衛生紙
３      第１芳香用フィルム
３１    外層部
３２、２３２  内層部
３３    中層部（接着層部）
３４    ミシン目
２０３  第２芳香用フィルム
Ｂ      接着剤
【図１】
2015066119.tif 000003
【図２】
2015066119.tif 000004
【図３】
2015066119.tif 000005
【図４】
2015066119.tif 000006
【図５】
2015066119.tif 000007
【図６】
2015066119.tif 000008